(57)【要約】【課題】配設領域が限定されることなく、希望の領域に装飾カバーを配設可能とする。【解決手段】器具本体１２の開口部を開閉可能に閉塞する蓋体２５であって、外周部（外周縁部３８）に下向きに突出する２以上の係止片３４を設けた第１蓋部材２６と、前記第１蓋部材２６の上面の少なくとも一部を被覆し、外周縁に内向きに突出して前記各係止片３４が上面に係止するフランジ部５４を設けた装飾カバー４９と、前記第１蓋部材２６の下側に配設され、外周部が前記装飾カバー４９のフランジ部５４の下面に重畳する第２蓋部材３７とを備えた構成としている。【選択図】図４
2007312844.tif 000002
【特許請求の範囲】
【請求項１】
器具本体の開口部を開閉可能に閉塞する蓋体であって、
外周部に下向きに突出する２以上の係止片を設けた第１蓋部材と、
前記第１蓋部材の上面の少なくとも一部を被覆し、外周縁に内向きに突出して前記各係止片が上面に係止するフランジ部を設けた装飾カバーと、
前記第１蓋部材の下側に配設され、外周部が前記装飾カバーのフランジ部の下面に重畳する第２蓋部材と
を備えたことを特徴とする器具の蓋体。
【請求項２】
前記第２蓋部材に、前記器具本体に開閉可能に取り付けるヒンジ接続部を設けたことを特徴とする請求項１に記載の器具の蓋体。
【発明の詳細な説明】
【技術分野】
【０００１】
本発明は、炊飯器や電気ポットなどの器具の蓋体に関するものである。
【背景技術】
【０００２】
この種の器具は、器具本体の開口部を開閉可能に閉塞する蓋体を備え、器具本体内に配設した負荷部品などを制御して目的の動作を実行する。また、近年では、外観の装飾性や清掃性を向上するために、薄肉のステンレス板を前記蓋体を含む外装体に配設したものが提供されている。
【０００３】
このように、表面に装飾性を向上するために金属板などの装飾カバーを配設した器具の蓋体に関連する先行技術文献情報としては次のものがある。
【０００４】
【特許文献１】特開２００５−９５５６９号公報
【０００５】
この特許文献１では、上側の第１蓋部材と、下側の第２蓋部材とを備え、第１蓋部材の上表面に装飾カバーを配設するとともに、第２蓋部材の下面に内蓋を着脱可能に配設するようにした器具の蓋体が提供されている。前記装飾カバーは、第１蓋部材の平面視で一回り小さい形状をなし、その外周縁には塑性変形により取付状態を維持する多数の係合爪が形成されている。また、第１蓋部材には、前記装飾カバーを配設するための浅い凹部が設けられ、その外周縁に前記係合爪を貫通させる係合穴が設けられている。
【０００６】
しかしながら、この固着構造では、金属製の装飾カバーを蓋体の外周縁まで覆うように配設することはできない。また、外周縁まで覆う形状とした場合、金属製の装飾カバーの外周縁が露出するため、安全面に問題がり実用化できない。
【０００７】
因みに、水筒の蓋体など、器具本体にヒンジ接続されない容器に類似する形態のものの場合、内側に配設する樹脂製の蓋本体の開口縁に内向きに窪む収容溝を設け、金属製の装飾カバーの開口縁を前記収容溝に嵌め込むことにより、装飾カバーの縁の露出を防止している。しかし、この形態は、金属製の装飾カバーを撓ませて装着する作業性が悪いうえ、取り外す作業は更に困難であり、メンテナンスが必要な器具には採用できない。
【発明の開示】
【発明が解決しようとする課題】
【０００８】
本発明は、従来の問題に鑑みてなされたもので、配設領域が限定されることなく、希望の領域に装飾カバーを配設可能な器具の蓋体を提供することを課題とするものである。
【課題を解決するための手段】
【０００９】
前記課題を解決するため、本発明の器具の蓋体は、器具本体の開口部を開閉可能に閉塞する蓋体であって、外周部に下向きに突出する２以上の係止片を設けた第１蓋部材と、前記第１蓋部材の上面の少なくとも一部を被覆し、外周縁に内向きに突出して前記各係止片が上面に係止するフランジ部を設けた装飾カバーと、前記第１蓋部材の下側に配設され、外周部が前記装飾カバーのフランジ部の下面に重畳する第２蓋部材とを備えた構成としている。
【００１０】
この器具の蓋体は、前記第２蓋部材に、前記器具本体に開閉可能に取り付けるヒンジ接続部を設けたものであることが好ましい。
【発明の効果】
【００１１】
本発明の器具の蓋体では、装飾カバーに内向きに突出するフランジ部を設け、このフランジ部を第１蓋部材と第２蓋部材とで挟み込むようにして固着するため、蓋体の外周縁まで装飾カバーを配置できる。しかも、装飾カバーの外周縁が露出しないため、その縁でユーザが怪我することもない。
【００１２】
また、この蓋体の組立時には、第１蓋部材に対して装飾カバーを配設することにより、係止片とフランジ部との係止により、これらを離脱不可能な状態に係止でき、この状態で、第１蓋部材と第２蓋部材とを互いに固定する。即ち、３つの部材を所定位置に位置決めして固定するのではなく、２部品を個別に固定すればよいため、組立作業性を向上できる。逆にメンテナンス時などに取り外す場合には、第１蓋部材と第２蓋部材とを分解した後、第１蓋部材の係止片を弾性的に撓ませることにより、比較的簡単に装飾カバーも分解できる。
【００１３】
そして、このような蓋体としては、器具本体に対して開閉可能に軸着するヒンジ接続部を備えた複雑な器具に対して特に有効である。
【発明を実施するための最良の形態】
【００１４】
以下、本発明の実施の形態を図面に従って説明する。
【００１５】
図１および図２は、本発明の実施形態に係る蓋体２５を適用した器具である炊飯器１０を示す。この炊飯器１０は、炊飯鍋１１を着脱可能に収容する器具本体１２と、該器具本体１２の上端開口を閉塞する蓋体２５とを備えたものである。
【００１６】
まず、器具本体１２は、図２に詳細に示すように、鏡面仕上げを施した金属（ステンレス）製の筒体からなる胴体１３と、該胴体１３の上端開口に配設した円環状をなす樹脂製の肩体１４と、胴体１３の底に配設した樹脂製の底体１５とを有する外装体を備えている。前記肩体１４において、炊飯鍋１１を収容する開口部の背面側には、後述する蓋体２５を開閉可能に軸着するためのヒンジ接続部１６が設けられている。また、肩体１４の開口部の正面側には、蓋体２５を開放不可能にロックするためのロック爪部１７が設けられている。
【００１７】
前記外装体の内部には、肩体１４の開口下部に下向きに延びる内胴１８が配設され、この内胴１８の底の凹部１９に加熱ヒータを配設した略椀状の加熱板（図示せず）が配設されるとともに、該加熱板の中央に炊飯鍋１１の温度を検出する温度センサ（図示せず）が貫通するように配設されている。また、内胴１８の下部に位置するように、胴体１３の底（底体１５の上部）には基板ホルダー２０が配設されている。
【００１８】
本実施形態の器具本体１２は、前記肩体１４が胴体１３より外方に突出するように形成され、その突出部分正面側に操作パネル２１が設けられている。この操作パネル２１は、肩体１４に設けた孔に別体の操作部材２２ａ〜２２ｅを配設するとともに、これら操作部材２２ａ〜２２ｅの背部（内部）にスペーサセット２３が配設され、このスペーサセット２３の背部にスイッチを実装したスイッチ基板２４が配設されている。
【００１９】
本発明の蓋体２５は、図２から図４に示すように、器具本体１２に対して背面側のヒンジ接続部１６で開閉可能に軸着され、器具本体１２の開口部を閉塞する平面視円形状のもので、第１蓋部材２６と、該第１蓋部材２６の下側に配設される第２蓋部材３７と、前記第１蓋部材２６の上側表面に配設される装飾カバー４９とを備えている。
【００２０】
前記第１蓋部材２６は樹脂製であり、図４に詳細に示すように、上向きに湾曲した逆受皿形状をなし、その上面には、同心円からなる複数の環状リブ２７と、これら環状リブ２７の中心から外向きに放射状に延びる放射状リブ２８とが設けられている。これらリブ２７，２８は、後述する装飾カバー４９の内面に当接して位置決めする役割もなす。この第１蓋部材２６は、前後方向の寸法が蓋体２５の略全長にかけて延び、左右方向の寸法が蓋体２５の全幅より小さく形成されている。そして、第１蓋部材２６の背面側には、ヒンジ接続部１６を覆うように扇型形状とした排気部２９が設けられている。また、第１蓋部材２６の正面側には、円形状の開口からなる露出部３０が設けられている。この露出部３０は、ロック部３１ａを有する開放釦３１を露出させるもので、その内側背部には軸受部３２が設けられている。そして、第１蓋部材２６の側面には、垂直下向きに延びる側壁部３３が設けられ、この側壁部３３に下向きに湾曲するように突出する４個（背面側の２個は図示せず）の弾性係止片３４が設けられている。なお、第１蓋部材２６の正面側外周縁は、弾性は殆ど具備しない幅広の係止片３５を構成する。また、第１蓋部材２６の下面には、ネジを締め付けるネジ止め部３６（図５参照）が突設されている。
【００２１】
前記第２蓋部材３７は、前記第１蓋部材２６の下側にネジ止めにより固定される樹脂製のもので、蓋体２５の前後左右の寸法と略同一の平面視円形状のものである。この第２蓋部材３７は、上向きに隆起した逆受皿形状をなし、その外周縁部３８は、径方向外側に向けて水平方向に突出するとともに、後述する装飾カバー４９より僅かに小さい円形状に形成され、外観では殆ど目視できないように構成されている。この第２蓋部材３７の上面には、第１蓋部材２６の下面に当接する補強リブ３９が平面視で格子状をなすように突設されている。そして、この第２蓋部材３７の背面側には、ヒンジ接続部１６に開閉可能に取り付けるための接続部４０が設けられるとともに、排気部２９に接続する排気筒部４１が設けられている。また、第２蓋部材３７には、ネジ止め部３６に対応するネジ挿通孔４２（図５参照）が設けられている。さらに、第２蓋部材３７の正面側には、開放釦３１のロック部３１ａを貫通させる貫通孔４３が設けられている。この第２蓋部材３７の下部には内蓋取付部４４が設けられている。この内蓋取付部４４に取り付ける内蓋４５は、図２に示すように、金属製の内蓋本体４６の外周部に炊飯鍋１１の開口縁をシールするシール部材４７を配設するとともに、排気筒部４１を貫通して排気部２９に進入される排気部材４８を配設したものである。
【００２２】
前記装飾カバー４９は、図４に示すように、胴体１３と同様に鏡面仕上げを施した金属（ステンレス）製のもので、第１蓋部材２６の排気部２９および露出部中の開放釦３１を除く第１蓋部材２６の全面を覆う形状のものである。具体的には、装飾カバー４９は、上向きに湾曲する平面視円形状のもので、第１蓋部材２６の排気部２９と対応する位置には扇形状の切欠部５０が設けられるとともに、露出部３０と対応する位置には露出孔５１が設けられている。これら切欠部５０および露出孔５１の内周縁には、内向きに突出する折返部５２が設けられている。また、切欠部５０において最も中心に近い内端である頂部、および、露出孔５１において最も中心に近い位置には、折返部５２の先端から更に下向きに突出する係合爪５３が設けられている。そして、本実施形態では、前記切欠部５０を除く外周縁に、径方向内側に向けて水平方向に突出するフランジ部５４が設けられている。
【００２３】
前記構成の蓋体２５を組み立てる際には、まず、第１蓋部材２６に対して装飾カバー４９を配置し、第１蓋部材２６に対して装飾カバー４９を押圧する。これにより、第１蓋部材２６の弾性係止片３４が装飾カバー４９のフランジ部５４の内端縁に当接し、弾性係止片３４が弾性的に内側に撓み、該弾性係止片３４の先端がフランジ部５４の内端縁を越えると、弾性係止片３４がフランジ部５４の上面に係止する。なお、この第１蓋部材２６と装飾カバー４９の組立時には、前方の係止片３５が殆ど撓まないため、該係止片３５をフランジ部５４の上面に係止させた後、背面側を押圧するようにして係止することが好ましい。その後、係合爪５３を折り曲げて装飾カバー４９と第１蓋部材２６とを離脱不可能に固着する。ここで、切欠部５０の係合爪５３は、第１蓋部材２６に形成した貫通孔（図示せず）を貫通させて、該第１蓋部材２６の内面側で折り曲げる。また、露出孔５１の係合爪５３は、露出部３０の内周縁を貫通させて第１蓋部材２６の内面側で折り曲げる。
【００２４】
このようにして、第１蓋部材２６と装飾カバー４９とを離脱不可能に係止すると、ついで、第１蓋部材と第２蓋部材３７とを位置調整して配置し、互いに設けたネジ止め部３６にネジを締め付けて固定する。その後、ヒンジスプリングによって蓋体２５を開放方向に付勢させた状態で、第２蓋部材３７の接続部４０を器具本体１２のヒンジ接続部１６に軸着する。
【００２５】
このように、本実施形態の蓋体２５は、３つの部品２６，３７，４９により構成しているが、それぞれを一度に位置決めして固定するのではなく、第１蓋部材２６と装飾カバー４９および第１蓋部材２６と第２蓋部材３７を個別に固定するものであるため、位置決め作業性がよく、その結果、組立作業性を向上することができる。
【００２６】
また、この組立状態の蓋体２５は、図５に示すように、外周縁まで覆うように表面の略全体にかけて装飾カバー４９が配設されているため、その外観を向上できるとともに、清掃性を向上できる。しかも、この装飾カバー４９は、内向きに突出するように設けたフランジ部５４の上面に第１蓋部材２６の弾性係止片３４が係止し、フランジ部５４の下面に第２蓋部材３７の外周縁部３８が重畳している。このように、金属製の装飾カバー４９の端部を挟み込むようにして覆い隠す構成としているため、その縁にユーザの手が干渉することにより怪我させることはない。
【００２７】
また、メンテナンス時などに蓋体２５を取り外す（分解する）場合には、第１蓋部材２６と第２蓋部材３７とを分解した後、第１蓋部材２６の係止片３５を弾性的に撓ませることにより、比較的簡単に装飾カバー４９も分解できる。そのため、本実施形態の炊飯器１０のように、メンテナンスが必要な家庭用電気製品の場合には、特に有効である。
【００２８】
なお、本発明の器具の蓋体２５は、前記実施形態の構成に限定されるものではなく、種々の変更が可能である。
【００２９】
例えば、前記実施形態では、装飾カバー４９に排気部２９を露出させるために大きな切欠部５０を設けたが、開放釦３１を露出させる露出孔５１のように、排気部２９の孔のみを露出するように孔を設けた構成としてもよい。
【００３０】
また、前記実施形態では、装飾カバー４９を第１蓋部材２６の略全体にかけて覆う形状としたが、第１蓋部材２６の外周部の少なくとも一部を覆うように構成であれば適用可能である。この場合、その被覆領域に基づく係止状態に応じて前記係合爪５３を設けることが好ましい。因みに、前記実施形態のように、略全周にかけて装飾カバー４９で覆うように構成する場合には、係合爪５３は設けない構成としてもよい。このように、本発明の蓋体２５では、ネジ止め部３６を形成することができない装飾カバー４９の配設領域が限定されることなく、希望の領域に配設することが可能である。
【００３１】
さらに、前記実施形態では、本発明の蓋体２５を適用する器具を炊飯器１０としたが、電気ポットなど、蓋体を必須とする器具であれば同様に適用可能である。但し、本発明の蓋体２５を適用する器具としては、該蓋体２５を器具本体１２に対して開閉可能に軸着するような、構造が複雑で樹脂部品が必須のものであれば、特に有効である。
【図面の簡単な説明】
【００３２】
【図１】本発明の蓋体を備えた器具である炊飯器を示す斜視図である。
【図２】図１の中央縦断面図である。
【図３】図１の平面図である。
【図４】蓋体の分解斜視図である。
【図５】蓋体を正面側から側部にかけて切断した要部断面図である。
【符号の説明】
【００３３】
１２…器具本体
２５…蓋体
２６…第１蓋部材
３３…側壁部
３４…弾性係止片
３５…係止片
３７…第２蓋部材
３８…外周縁部
４９…装飾カバー
５４…フランジ部
【図１】
2007312844.tif 000003
【図２】
2007312844.tif 000004
【図３】
2007312844.tif 000005
【図４】
2007312844.tif 000006
【図５】
2007312844.tif 000007